(57)【要約】【課題】  透過モードにおいては鮮やかなカラー表示が可能であり、反射モードにおいては明るいモノクロ表示が可能で、更に、ギャップの均一性がよく、製造が容易なモノカラー型の液晶表示装置を提供する。【解決手段】  本発明の液晶表示装置１は、液晶パネル５０とバックライト４０とを備えている。液晶パネル５０には、半透過反射膜１３とカラーフィルタ１２が設けられており、半透過反射膜１３は液晶３０に対してカラーフィルタ１２よりも観察側に配置されている。【選択図】    図１
2006003393.tif 000002
【特許請求の範囲】
【請求項１】
対向する一対の基板間に液晶を挟持してなり、各々が異なる色に対応した複数のサブ画素からなる画素を有する液晶パネルと、前記液晶パネルに対して観察側とは反対側に設けられ、当該液晶パネルに照明光を照射する照明装置とを備えた液晶表示装置であって、
前記液晶に対して観察側とは反対側に、各サブ画素に対応して異なる色の複数の着色層が配列されたカラーフィルタを備え、前記カラーフィルタに対して前記液晶側に、各着色層の平面領域内に前記照明光を透過させる透光部を有する反射膜を備えたことを特徴とする、液晶表示装置。
【請求項２】
前記液晶パネルの前記一対の基板のうち観察側とは反対側に配置された一方の基板の前記液晶側の面に、前記カラーフィルタと前記反射膜とがこの順に積層されていることを特徴とする、請求項１記載の液晶表示装置。
【請求項３】
前記液晶パネルの前記一対の基板のうち観察側とは反対側に配置された一方の基板の前記液晶側の面に前記反射膜が設けられ、前記一方の基板の前記液晶側とは反対側の面に前記カラーフィルタが設けられていることを特徴とする、請求項１記載の液晶表示装置。
【請求項４】
前記一方の基板の前記液晶側とは反対側の面に凹部が形成され、当該凹部に前記カラーフィルタが設けられていることを特徴とする、請求項３記載の液晶表示装置。
【請求項５】
前記反射膜が光散乱機能を有していることを特徴とする、請求項１〜４のいずれかの項に記載の液晶表示装置。
【請求項６】
前記反射膜が、隣接する着色層の繋ぎ目部分と平面的に重なるように配置されていることを特徴とする、請求項１〜５のいずれかの項に記載の液晶表示装置。
【請求項７】
前記着色層と着色層との間に遮光層が設けられており、該遮光層の平面領域内に、前記反射膜の形成されない領域が一部設けられていることを特徴とする、請求項６記載の液晶表示装置。
【請求項８】
請求項１〜７のいずれかの項に記載の液晶表示装置を備えたことを特徴とする、電子機器。
【発明の詳細な説明】
【技術分野】
【０００１】
本発明は、反射モード及び透過モードの双方を備えた半透過反射型の液晶表示装置および電子機器に関し、より詳しくは、反射モードを白黒表示とし、透過モードをカラー表示とした表示型（以下、モノカラーと呼ぶ）の液晶表示装置の構造に関するものである。
【背景技術】
【０００２】
近年、携帯電話やＰＤＡ等の表示装置として、反射モードと透過モードの双方を備えた半透過反射型の液晶表示装置が広く使用されている。このような半透過反射型液晶表示装置としては、アルミニウム等の金属膜に光透過用のスリット（開口部）を形成した反射膜を下基板の内面に備え、この反射膜を半透過反射膜として機能させるものが知られている。この場合、反射モードでは、上基板側から入射した外光が、液晶層を通過した後に下基板の内面の反射膜で反射され、再び液晶層を通過して上基板側から射出され、表示に寄与する。一方、透過モードでは下基板側から入射したバックライトからの光が、反射膜の開口部から液晶層を通過した後、上基板側から外部に射出され、表示に寄与する。したがって、反射膜の形成領域のうち、開口部が形成された領域が透過表示領域、その他の領域が反射表示領域となる（特許文献１参照）。
【特許文献１】特開２００３−１７２９２４号公報
【発明の開示】
【発明が解決しようとする課題】
【０００３】
このような半透過反射型の液晶表示装置としては、上基板又は下基板のいずれかにカラーフィルタを設けたものが広く使用されている。例えば、先の特許文献１には、下基板の内面に反射膜とカラーフィルタとを順次積層し、反射モード及び透過モードの双方をカラー表示としたものが示されている。しかし、用途によっては、反射モードをカラー表示とせずに、むしろ白黒表示として明るさを稼ぎたいといった要望もある。そこで、本出願人は、本出願に先立って、カラーフィルタを透過表示領域（反射膜の開口部）のみに設けた液晶表示装置を提案している。以下、この種の半透過反射型液晶表示装置をモノカラー型液晶表示装置という。
【０００４】
図９（ｂ）は、先に提案されたモノカラー型液晶表示装置の下基板側の断面構成を示す模式図である。この液晶表示装置には、下基板上に反射膜，カラーフィルタ（着色層）Ｒ，Ｇ，Ｂ，平坦化膜、透明電極が順次積層されている。反射膜には、画素中央部に開口部が形成されており、この開口部の形成された領域（透光部）が透過表示領域となり、それ以外の領域が反射表示領域となる。着色層Ｒ，Ｇ，Ｂは、透過表示領域である反射膜の開口領域にのみ選択的に形成されている。
【０００５】
ところで、半透過反射型の液晶表示装置では、反射表示時の明るさを稼ぐために、通常、反射表示領域は透過表示領域よりも広く形成される。しかし、モノカラー型液晶表示装置の場合には、反射表示領域を広くしてしまうと、基板上に占める着色層Ｒ，Ｇ，Ｂの割合が小さくなり、平面視した場合に、隣接する着色層Ｒ，Ｇ，Ｂの間隔が着色層Ｒ，Ｇ，Ｂのサイズに比べて非常に大きくなってしまう。このため、色純度を上げる目的で着色層Ｒ，Ｇ，Ｂの膜厚を厚くした場合には、この着色層による凹凸を平坦化膜によって十分に平坦化できなくなり、ギャップむらが発生してしまう。特に、ＳＴＮ型液晶表示装置等のように高精度なギャップ制御が必要なものでは、このようなギャップむらは表示品質を大きく低下させてしまう。この問題を解決するために、本出願人は、図９（ａ）に示すように、着色層の非形成領域の一部にブラックマトリクスＢＭを配置した構造を提案している。この場合、着色層と着色層との間の空間がブラックマトリクスＢＭによって一部埋められるため、前述のものに比べて基板表面の平坦性は良くなる。しかし、この構造では、反射表示領域内にブラックマトリクスＢＭが形成されるため、反射表示が暗くなってしまう。また、これらの構造では、反射膜の開口パターンと着色層のパターンとの間に位置ずれが生じると、反射輝度及び透過輝度の双方が損なわれてしまうため、パターンの形成に高い精度が要求されるといった問題もある。
【０００６】
本発明はこのような事情に鑑みてなされたもので、透過モードにおいては鮮やかなカラー表示が可能であり、反射モードにおいては明るいモノクロ表示が可能で、更に、ギャップの均一性がよく、製造が容易なモノカラー型の液晶表示装置および電子機器を提供することを目的とする。
【課題を解決するための手段】
【０００７】
上記の課題を解決するため、本発明の液晶表示装置は、対向する一対の基板間に液晶を挟持してなり、各々が異なる色に対応した複数のサブ画素からなる画素を有する液晶パネルと、前記液晶パネルに対して観察側とは反対側に設けられ、当該液晶パネルに照明光を照射する照明装置とを備えた液晶表示装置であって、前記液晶に対して観察側とは反対側に、各サブ画素に対応して異なる色の複数の着色層が配列されたカラーフィルタを備え、前記カラーフィルタに対して前記液晶側に、各着色層の平面領域内に前記照明光を透過させる透光部を有する反射膜を備えたことを特徴とする。
【０００８】
前述のように、従来のモノカラー型液晶表示装置では、反射膜はカラーフィルタの下（照明装置側）に配置されていたため、モノカラー構造を実現するには、カラーフィルタは反射膜の透光部にのみ正確にパターニングする必要があった。また、ギャップの均一性を高めるために、カラーフィルタの膜厚は、平坦化膜による平坦化の程度を超えない範囲に制限されることになり、十分な色域が得られない場合があった。これに対して、本発明では、従来の反射膜とカラーフィルタの配置関係を逆にして、反射膜をカラーフィルタの上（観察側）に設置し、反射膜をカラーフィルタの各着色層に一部平面的に重なるように配置している。この構成では、反射表示領域に位置する着色層は、反射膜の裏面側に隠れるため、反射表示に影響を与えることはない。このため、明るい反射表示が可能である。また、この構成では、敢えて着色層を透過表示領域に合わせてパターニングする必要がないので、カラーフィルタとして通常のカラーフィルタ、即ち、着色層やブラックマトリクスが略隙間なく配列された表面の平坦なカラーフィルタを用いることができる。したがって、従来よりもギャップの均一性のよいモノカラー型の液晶表示装置を提供することができる。また、カラーフィルタと反射膜との位置ずれの大きさは、反射膜の透光部の大きさ程度まで許容されるため、製造が容易になる。
【０００９】
本発明の液晶表示装置では、前記液晶パネルの前記一対の基板のうち観察側とは反対側に配置された一方の基板（下基板）の前記液晶側の面（内面）に、前記カラーフィルタと前記反射膜とが、この順に積層されている構成を採用することができる。
このようにカラーフィルタを基板の内面に設けることにより、下基板の厚みによる混色の影響を防ぐことができる。
【００１０】
また、本発明の液晶表示装置では、前記液晶パネルの前記一対の基板のうち観察側とは反対側に配置された一方の基板（下基板）の前記液晶側の面（内面）に前記反射膜が設けられ、前記一方の基板の前記液晶側とは反対側の面（外面）に前記カラーフィルタが設けられている構成を採用することができる。
この場合、カラーフィルタを外付けすることができるので、歩留まりを向上することができる。ただし、この構成では、下基板の厚みによってサブ画素間で混色を生じる可能性があるため、このような混色を防ぐための何らかの手段を講じることが望ましい。具体的には、前記一方の基板の前記液晶側とは反対側の面に凹部が形成され、当該凹部に前記カラーフィルタが設けられている構成を採用することができる。この場合、カラーフィルタの配置される部分のみを局所的に薄くするため、基板全体を薄くした場合に比べて、基板の強度を保つことができる。例えば、マザーガラスから下基板を切り出す場合において、割れ等が生じなくなる。
【００１１】
また、本発明の液晶表示装置では、前記反射膜が光散乱機能を有していることが望ましい。
これにより、視野角の広い表示が可能になる。
【００１２】
また、本発明の液晶表示装置では、前記反射膜が、隣接する着色層の繋ぎ目部分と平面的に重なるように配置されている構成を採用することができる。
こうすることで、着色層間の混色を防ぐことができる。
【００１３】
本発明の液晶表示装置では、前記着色層と着色層との間に遮光層が設けられており、該遮光層の平面領域内に、前記反射膜の形成されない領域が一部設けられている構成を採用することができる。
本発明の液晶表示装置では、遮光層を覆う反射膜を一部除去することによって遮光層を露出させるので、遮光層を反射膜の加工精度に応じて任意のサイズに形成することができる。例えば、遮光層にブラック樹脂を用いた場合、ブラック樹脂は加工精度が１３μｍ程度しかないため高精細用途には向かないが、本構成の液晶表示装置では、例えば、遮光層の上に反射膜を形成し、フォトエッチングによって遮光層の一部を露出させるため、遮光層を反射膜のフォトエッチングの精度（数μｍの精度）で形成することができる。
【００１４】
本発明の電子機器は、前述した本発明の液晶表示装置を備えたことを特徴とする。
これにより、透過モードにおいては鮮やかなカラー表示であり、反射モードにおいては明るいモノクロ表示が可能な表示部を備えた電子機器を提供することができる。
【発明を実施するための最良の形態】
【００１５】
以下、本発明の実施の形態を図面を用いて説明する。なお、以下の全ての図面においては、図面を見やすくするため、各構成要素の膜厚や寸法の比率などは適宜異ならせてある。また、本明細書では、液晶表示装置を構成する各部材の液晶側の面を「内面」、液晶側とは反対側の面を「外面」という。
【００１６】
図１は、本実施形態に係る液晶表示装置の概略構成を示す模式図であり、図１（ａ）はＲ（赤），Ｇ（緑），Ｂ（青）の３つのサブ画素からなる１画素の断面構造を示す図、図１（ｂ）はその平面構造を示す図である。この液晶表示装置１は、１画素内に複数のサブ画素を有する液晶パネル５０と、該液晶パネル３０に対して観察側（紙面上側）とは反対側に配置されたバックライト（照明装置）４０とを備えている。
【００１７】
液晶パネル５０は、ＳＴＮ液晶３０を挟んで対向する下基板１０及び上基板２０を、これら２枚の基板の周縁部に環状に設けたシール材（図示略）によって接着一体化したものである。下基板１０には、ガラスやプラスチック等からなる基板本体１１の内面側に、複数の着色層からなるカラーフィルタ１２が形成されている。このカラーフィルタ１２には、それぞれＲ，Ｇ，Ｂの３原色に対応した３種類の着色層１２Ｒ，１２Ｇ，１２Ｂが、サブ画素の配列状態に対応させて、ストライプ状に略隙間なく配列されている。
【００１８】
このカラーフィルタ１２の表面には、アルミニウムや銀等の反射率の高い金属膜からなる反射膜１４が各着色層１２Ｒ，１２Ｇ，１２Ｂと一部平面的に重なるような形で部分的に形成されている。すなわち、本実施形態の反射膜１４には開口部１３ａが形成されており、反射膜１３の形成領域が反射表示領域Ｒとなり、反射膜１３の非形成領域、即ち、開口部（透光部）１３ａの形成領域が透過表示領域Ｔとなる。この開口部１３ａは、各サブ画素に対して設けられており、それぞれのサブ画素において透過表示と反射表示の双方の表示を可能としている。また、本実施形態では、開口部１３ａを各サブ画素の中央部に形成し、反射膜１３がサブ画素の境界部分（即ち、隣接する着色層の繋ぎ目部分）を含む領域に配置されるようにしている。このため、この境界部分の反射膜１３が一種のブラックマトリクスとして機能し、着色層間の混色を防止することができる。このように、本実施形態では、反射膜１３に開口部１３ａを設けることにより、この反射膜１３を半透過反射膜として機能させている。この反射膜１３は、例えば、下基板１０上にカラーフィルタ１２を形成した後、アルミニウム等を成膜し、これをエッチングすることによって形成することができる。この際、カラーフィルタ１２の着色層はなるべく隙間なく配列し、カラーフィルタ１２の表面が平坦化されるようにすることが望ましい。或いは、市販のカラーフィルタ基板の表面に反射膜１２をパターン形成してもよい。
【００１９】
この反射膜１３の表面には絶縁膜１４が形成されており、この絶縁膜１４の表面にはＩＴＯ等からなる複数の透明電極１５が形成されている。この透明電極１５は、紙面垂直方向に延びる平面視ストライプ状に形成されている。この透明電極１５は、上基板２０上に形成されたストライプ状の透明電極２５に対して直交する方向に延在しており、透明電極１５と透明電極２５との交差領域内に含まれる液晶パネル５０の構成部分（カラーフィルタ１２、反射膜１３、透明電極１５、液晶３０、透明電極２５等における前記交差領域内の部分）が１つのサブ画素を構成している。そして、このように構成された下基板１０の最表面には、ポリイミド等からなる配向膜１６が形成されている。
【００２０】
一方、上基板２０には、ガラスやプラスチック等からなる基板本体２１の内面側に、ＩＴＯ等からなる複数の透明電極２５と、ポリイミド等からなる配向膜１６が順次形成されている。透明電極２５は、下基板１０の透明電極１５と直交する方向、即ち、紙面水平方向に延びる平面視ストライプ状に形成されている。
【００２１】
この液晶表示装置１では、反射表示においては、上基板２０側から入射した外光Ｌ１が、液晶３０を通過した後、反射膜１３によって反射され、再び液晶３０、上基板２０を通過して外部に視認される。光Ｌ１はカラーフィルタ１２を通過しないので、表示は白黒表示となる。一方、透過表示においては、下基板側から入射したバックライト４０からの光Ｌ２が、カラーフィルタ１２を通過した後、反射膜１３の開口部１３ａから液晶３０に入射する。そして、液晶３０、上基板２０を通過して外部に視認される。光Ｌ２はカラーフィルタ１２を通過するので、表示はカラー表示となる。
【００２２】
このように本実施形態の液晶表示装置１は、外光を利用した反射モードと内部光源を利用した透過モードの双方を備えた半透過反射型の液晶表示装置であって、特に、反射モードを白黒表示によって行ない、透過モードをカラー表示によって行なうモノカラー型の液晶表示装置である。本実施形態の液晶表示装置は、従来のものと比較して、カラーフィルタと反射膜との配置関係を逆転させた点に特徴を有している。前述のように、従来のモノカラー型液晶表示装置では、反射膜はカラーフィルタの下（照明装置側）に配置されていたため、モノカラー構造を実現するには、カラーフィルタは反射膜の透光部のみに正確にパターニングする必要があった。また、ギャップの均一性を高めるために、カラーフィルタの膜厚は、平坦化膜による平坦化の程度を超えない範囲に制限されることになり、十分な色域が得られない場合があった。これに対して、本実施形態では、従来の反射膜とカラーフィルタの配置関係を逆にして、反射膜１３をカラーフィルタ１２の上（観察側）に設置し、反射膜１３をカラーフィルタ１２の各着色層１２Ｒ，１２Ｇ，１２Ｂに一部平面的に重なるように配置している。この構成では、反射表示領域Ｒに位置する着色層１２Ｒ，１２Ｇ，１２Ｂは、反射膜１３の裏面側に隠れるため、反射表示に影響を与えることはない。このため、明るい反射表示が可能である。また、この構成では、敢えて着色層１２，１２Ｇ，１２Ｂを透過表示領域Ｔに合わせてパターニングする必要がないので、カラーフィルタ１２として通常のカラーフィルタ、即ち、着色層１２，１２Ｇ，１２Ｂが略隙間なく配列された表面の平坦なカラーフィルタを用いることができる。したがって、従来よりもギャップの均一性のよいモノカラー型液晶表示装置を提供することができる。また、カラーフィルタ１２と反射膜１２との位置ずれの大きさは、反射膜１３の透光部１３ａの大きさ程度まで許容されるため、製造が容易になる。
【００２３】
［変形例］
次に、本実施形態の変形例について説明する。なお、以下の変形例において、前記実施形態の構成と同様の部材又は部位については同じ符号を付し、詳細な説明は省略する。
（第１の変形例）
図２は、カラーフィルタ１２を下基板１０の外面側に配置した例を示している。この構成の液晶表示装置２においても、前述したのと同様の作用効果を奏することができる。また、この構成では、カラーフィルタ１２を外付けすることができるので、歩留まりの向上を図ることができる。ただし、下基板１０が厚い場合には、この厚みによってサブ画素間で混色が生じる可能性があるため、下基板１０の厚みは０．１ｍｍ以下とすることが望ましい。
【００２４】
（第２の変形例）
図３は、下基板１０の外面側に、基板の厚みを薄くするための凹部１１ａを形成し、この凹部１１ａの中にカラーフィルタ１２を設置した例を示している。この液晶表示装置３では、カラーフィルタ１２の配置される部分のみを局所的に薄くしているため、図２のように基板全体を薄くした場合に比べて、基板１１の強度を保つことができる。例えば、マザーガラスから基板１１を切り出す場合において、割れ等が生じにくくなる。
【００２５】
（第３の変形例）
図４は、反射膜１３の下に凹凸面を形成した例を示している。図４では、カラーフィルタ１２の表面に不規則な凹凸形状を有する樹脂膜１７を形成し、この樹脂膜１７の表面に反射膜１３を形成することによって、反射膜１３の表面に樹脂膜１７の凹凸形状を反映した凹凸形状を付与している。この液晶表示装置４では、反射膜１３は光散乱機能を有することになり、視野角の広い表示が得られる。
【００２６】
（第４の変形例）
図５は、隣接する着色層の間にブラック樹脂からなる遮光層ＢＭを設け、この遮光層ＢＭの表面にかかる反射膜１３をフォトリソグラフィ技術を用いて一部除去した（即ち、遮光層ＢＭの平面領域内に、反射膜１３の形成されない領域が一部設けられている）例を示している。ブラック樹脂を用いたカラーフィルタは安価に提供できる反面、加工精度が１３μｍ程度しかないため、高精細用途には向かない。しかし、本例の液晶表示装置５では、遮光層ＢＭの上に反射膜１２を形成し、フォトエッチングによって遮光層ＢＭの一部を露出させるため、反射膜のフォトエッチングの精度（数μｍの精度）で遮光層ＢＭを形成することができる。すなわち、本例の液晶表示装置５によれば、パネルの高精細化と低コスト化を同時に実現することができる。
【００２７】
（第５の変形例）
図６は、図４に示した第３の変形例において、透過表示領域Ｔの樹脂膜１７を除去した例を示している。この液晶表示装置６によれば、コントラストの向上及び色域面積の向上を図ることができる。
【００２８】
（第６の変形例）
図７は、図６に示した第５の変形例において、樹脂膜１７を省略し、着色層１２Ｒ，１２Ｇ，１２Ｂ自体に不規則な凹凸を形成した例を示している。すなわち、本例では、凹凸形状を有するカラーフィルタ１２の表面に反射膜１３を形成することによって、反射膜１３の表面に着色層の凹凸形状を反映した凹凸形状を付与している。よって、本例の液晶表示装置７によっても、視野角の広い表示が可能になる。
【００２９】
［電子機器］
次に、本発明の電子機器について説明する。図８は、本発明に係る電子機器の一例である携帯電話を示す斜視図である。この携帯電話１３００は、本発明の液晶表示装置を小サイズの表示部１３０１として備え、複数の操作ボタン１３０２、受話口１３０３、及び送話口１３０４を備えて構成されている。この電子機器は、前述した本発明の液晶表示装置を備えているので、透過モードにおいては鮮やかなカラー表示が可能であり、反射モードにおいては明るいモノクロ表示が可能である。
なお、上記各実施の形態の表示装置は、上記携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても、明るく、高コントラストであり、かつ広視野角の透過／反射表示が可能になっている。
【００３０】
以上、添付図面を参照しながら本発明に係る好適な実施の形態例について説明したが、本発明は係る例に限定されないことは言うまでもない。また、上述した例において示した各構成部材の諸形状や組み合わせ等は一例であって、本発明の主旨から逸脱しない範囲において設計要求等に基づき種々変更可能である。本発明においては、少なくとも反射膜がカラーフィルタよりも液晶層側に配置されていればよく、それ以外の構成については任意に設定することができる。例えば、カラーフィルタを下基板に対して別体に設けたり、反射膜とカラーフィルタの双方を下基板から切り離して別体に設けたりすることも可能である。また、前記の実施形態では、本発明をＳＴＮ方式の液晶表示装置に適用した例を示したが、これ以外の方式の液晶表示装置に対して本発明を適用することも可能である。
【図面の簡単な説明】
【００３１】
【図１】本発明の一実施形態に係る液晶表示装置の断面模式図及び平面模式図。
【図２】第１の変形例に係る液晶表示装置の構成を示す断面模式図。
【図３】第２の変形例に係る液晶表示装置の構成を示す断面模式図。
【図４】第３の変形例に係る液晶表示装置の構成を示す断面模式図。
【図５】第４の変形例に係る液晶表示装置の構成を示す断面模式図。
【図６】第５の変形例に係る液晶表示装置の構成を示す断面模式図。
【図７】第６の変形例に係る液晶表示装置の構成を示す断面模式図。
【図８】本発明の電子機器の一例を示す斜視図。
【図９】従来のモノカラー型液晶表示装置を示す断面模式図。
【符号の説明】
【００３２】
１，２，３，４，５，６，７…液晶表示装置、１０…下基板、１１ａ…凹部、１２…カラーフィルタ、１２Ｒ，１２Ｇ，１２Ｂ…着色層、１３…反射膜、１３ａ…開口部（透光部）、２０…上基板、３０…液晶、４０…バックライト（照明装置）、５０…液晶パネル
【図１】
2006003393.tif 000003
【図２】
2006003393.tif 000004
【図３】
2006003393.tif 000005
【図４】
2006003393.tif 000006
【図５】
2006003393.tif 000007
【図６】
2006003393.tif 000008
【図７】
2006003393.tif 000009
【図８】
2006003393.tif 000010
【図９】
2006003393.tif 000011
【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
対向する一対の基板間に液晶を挟持してなり、各々が異なる色に対応した複数のサブ画素からなる画素を有する液晶パネルと、
前記液晶パネルの一方の側に設けられ、当該液晶パネルに照明光を照射する照明装置と、
前記一対の基板のうち前記照明装置が設けられた側の基板上に設けられ、各前記サブ画素に対応して異なる色の複数の着色層が配列されたカラーフィルタと、
前記カラーフィルタに対して前記液晶側に設けられた反射膜と、
各前記着色層に重なり前記照明光を透過させる透光部とを備えたことを特徴とする、液晶表示装置。
【請求項２】
前記液晶パネルの前記一対の基板のうち前記照明装置が設けられた側の基板の前記液晶側の面に、前記カラーフィルタと前記反射膜とがこの順に積層されていることを特徴とする、請求項１記載の液晶表示装置。
【請求項３】
前記液晶パネルの前記一対の基板のうち前記照明装置が設けられた側の基板の前記液晶側の面に前記反射膜が設けられ、前記照明装置が設けられた側の基板の前記液晶側とは反対側の面に前記カラーフィルタが設けられていることを特徴とする、請求項１記載の液晶表示装置。
【請求項４】
前記照明装置が設けられた側の基板の前記液晶側とは反対側の面に凹部が形成され、当該凹部に前記カラーフィルタが設けられていることを特徴とする、請求項３記載の液晶表示装置。
【請求項５】
前記反射膜が光散乱機能を有していることを特徴とする、請求項１〜４のいずれかの項に記載の液晶表示装置。
【請求項６】
前記反射膜が、隣接する着色層の繋ぎ目部分と重なるように配置されていることを特徴とする、請求項１〜５のいずれかの項に記載の液晶表示装置。
【請求項７】
前記着色層と着色層との間に遮光層が設けられており、該遮光層の一部に前記反射膜の形成されない領域が重なることを特徴とする、請求項６記載の液晶表示装置。
【請求項８】
請求項１〜７のいずれかの項に記載の液晶表示装置を備えたことを特徴とする、電子機器。
【手続補正２】
【補正対象書類名】明細書
【補正対象項目名】０００７
【補正方法】変更
【補正の内容】
【０００７】
上記の課題を解決するため、本発明の液晶表示装置は、対向する一対の基板間に液晶を挟持してなり、各々が異なる色に対応した複数のサブ画素からなる画素を有する液晶パネルと、前記液晶パネルの一方の側に設けられ、当該液晶パネルに照明光を照射する照明装置と、前記一対の基板の前記照明装置が設けられた側の基板上に設けられ、各前記サブ画素に対応して異なる色の複数の着色層が配列されたカラーフィルタと、前記カラーフィルタに対して前記液晶側に設けられた反射膜と、各前記着色層に重なり前記照明光を透過させる透光部とを備えたことを特徴とする。
【手続補正３】
【補正対象書類名】明細書
【補正対象項目名】０００９
【補正方法】変更
【補正の内容】
【０００９】
本発明の液晶表示装置では、前記液晶パネルの前記一対の基板のうち前記照明装置が設けられた側の基板（下基板）の前記液晶側の面（内面）に、前記カラーフィルタと前記反射膜とがこの順に積層されている構成を採用することができる。
このようにカラーフィルタを基板の内面に設けることにより、下基板の厚みによる混色の影響を防ぐことができる。
【手続補正４】
【補正対象書類名】明細書
【補正対象項目名】００１０
【補正方法】変更
【補正の内容】
【００１０】
また、本発明の液晶表示装置では、前記液晶パネルの前記一対の基板のうち前記照明装置が設けられた側の基板（下基板）の前記液晶側の面（内面）に前記反射膜が設けられ、前記照明装置が設けられた側の基板の前記液晶側とは反対側の面（外面）に前記カラーフィルタが設けられている構成を採用することができる。
この場合、カラーフィルタを外付けすることができるので、歩留まりを向上することができる。ただし、この構成では、下基板の厚みによってサブ画素間で混色を生じる可能性があるため、このような混色を防ぐための何らかの手段を講じることが望ましい。具体的には、前記一方の基板の前記液晶側とは反対側の面に凹部が形成され、当該凹部に前記カ ラーフィルタが設けられている構成を採用することができる。この場合、カラーフィルタの配置される部分のみを局所的に薄くするため、基板全体を薄くした場合に比べて、基板の強度を保つことができる。例えば、マザーガラスから下基板を切り出す場合において、割れ等が生じなくなる。
【手続補正５】
【補正対象書類名】明細書
【補正対象項目名】００１２
【補正方法】変更
【補正の内容】
【００１２】
また、本発明の液晶表示装置では、前記反射膜が、隣接する着色層の繋ぎ目部分と重なるように配置されている構成を採用することができる。
こうすることで、着色層間の混色を防ぐことができる。
【手続補正６】
【補正対象書類名】明細書
【補正対象項目名】００１３
【補正方法】変更
【補正の内容】
【００１３】
本発明の液晶表示装置では、前記着色層と着色層との間に遮光層が設けられており、該遮光層の一部に前記反射膜の形成されない領域が重なる構成を採用することができる。
本発明の液晶表示装置では、遮光層を覆う反射膜を一部除去することによって遮光層を露出させるので、遮光層を反射膜の加工精度に応じて任意のサイズに形成することができる。例えば、遮光層にブラック樹脂を用いた場合、ブラック樹脂は加工精度が１３μｍ程度しかないため高精細用途には向かないが、本構成の液晶表示装置では、例えば、遮光層の上に反射膜を形成し、フォトエッチングによって遮光層の一部を露出させるため、遮光層を反射膜のフォトエッチングの精度（数μｍの精度）で形成することができる。